(57)【要約】【課題】無駄なく内容物を取り出せ、かつ、内容物に関する表示する領域を十分に備える包装袋に関する技術を提供する。【解決手段】収容部と、該収容部と並列に配置され、内容物に関する情報を表示する表示部と、収容部の周囲に設けられるシール部と、を有する包装袋を製造する包装袋の製造装置であって、フィルムを供給するフィルム送り手段と、フィルムの幅方向に収容部と表示部とが並列に配置されるようにシール部を形成する第一シール手段であって、シール部のうち、幅方向に存在する側部を接続する第一シール手段と、フィルムの送り方向の下流側に存在する奥部と上流側に存在する手前部を接続する第二シール手段と、第二シール手段が、奥部を接続後、かつ手前部の接続前、前記手前部から前記収容部に内容物を充填する充填手段と、帯状の二枚のフィルムから包装袋を切り離す切断手段と、を備える。【選択図】図３
2011025948.tif 000002
【特許請求の範囲】
【請求項１】
二枚のフィルムを張り合わせることで形成され、内容物を収容する収容部と、該収容部と並列に配置され、前記内容物に関する情報を表示する表示部と、少なくとも前記収容部の周囲に設けられ、前記二枚のフィルムが接続されるシール部と、を有する包装袋の製造装置であって、
帯状の前記二枚のフィルムを、互いに重ねた状態で供給するフィルム送り手段と、
前記フィルム送り手段から供給される前記帯状の二枚のフィルムの幅方向に前記収容部と前記表示部とが並列に配置されるように、前記二枚のフィルムを接続して前記シール部を形成する第一シール手段であって、前記シール部のうち、前記幅方向に存在する側部を接続する第一シール手段と、
前記第一シール手段によってシールされていないシール部として、前記フィルムの送り方向の下流側に存在する奥部と該フィルムの送り方向の上流側に存在する手前部を接続する第二シール手段と、
前記第二シール手段が、前記奥部を接続後、かつ手前部の接続前、前記手前部から前記収容部に内容物を充填する充填手段と、
前記第二シール手段によるシール部形成後、前記帯状の二枚のフィルムから包装袋を切り離す切断手段と、
を備える包装袋の製造装置。
【請求項２】
前記第一シール手段は、前記幅方向に存在する側部同士の間隔を調整して、前記収容部の収容量を調整する請求項１に記載の包装袋の製造装置。
【請求項３】
前記第二シール手段は、前記下流側に存在する包装袋のシール部の手前部と該包装袋の上流側に存在する包装袋のシール部の奥部とを一度に接続し、
前記切断手段は、前記下流側に存在する包装袋のシール部の手前部と該包装袋の上流側に存在する包装袋のシール部の奥部との間を切断する請求項１または２に記載の包装袋の製造装置。
【請求項４】
前記包装袋は、前記幅方向の端部に前記包装袋の開封を容易にする切欠部を更に有し、前記シール部は、前記包装袋が開封される際、前記切欠部を基点として包装袋の一部をちぎる方向を誘導する誘導部を含み、
前記包装袋の製造装置は、前記包装袋の切欠部を形成する切欠形成手段を更に備え、
前記第一シール手段は、前記包装袋をちぎる際の抵抗が周囲のシール部よりも小さくなるように前記誘導部を形成する、請求項１から３の何れか一に記載の包装袋の製造装置。
【請求項５】
二枚のフィルムを張り合わせることで形成され、内容物を収容する収容部と、該収容部と並列に配置され、前記内容物に関する情報を表示する表示部と、少なくとも前記収容部の周囲に設けられ、前記二枚のフィルムが接続されるシール部と、を有する包装袋の製造方法であって、
帯状の前記二枚のフィルムを、互いに重ねた状態で供給するフィルム送り工程と、
前記フィルム送り工程で供給される前記帯状の二枚のフィルムの幅方向に前記収容部と前記表示部とが並列に配置されるように、前記二枚のフィルムを接続して前記シール部を形成する第一シール工程であって、前記シール部のうち、前記幅方向に存在する側部を接続する第一シール工程と、
前記第一シール工程で接続されていないシール部として、前記フィルムの送り方向の下流側に存在する奥部と該フィルムの送り方向の上流側に存在する手前部を接続する第二シール工程と、
前記第二シール工程で、前記奥部を接続後、かつ手前部の接続前、前記手前部から前記収容部に内容物を充填する充填工程と、
前記第二シール工程におけるシール部形成後、前記帯状の二枚のフィルムから包装袋を切り離す切断工程と、
を備える包装袋の製造方法。
【請求項６】
二枚のフィルムを張り合わせることで形成される包装袋であって、
内容物を収容する収容部と、
前記収容部と並列に配置され、前記内容物に関する情報を表示する表示部と、
少なくとも前記収容部の周囲に設けられ、前記二枚のフィルムが接続されるシール部と、
前記収容部の開放端部に設けられ、前記包装袋の開封を容易にする切欠部と、
前記シール部に設けられ、前記包装袋が開封される際、前記切欠部を基点として包装袋の一部をちぎる方向を誘導する誘導部と、を備える包装袋。
【発明の詳細な説明】
【技術分野】
【０００１】
本発明は、包装袋の製造装置、包装袋の製造方法、及び包装袋に関する。
【背景技術】
【０００２】
化粧水、美容液、シャンプー、コンディショナーなどの化粧品やお菓子などの製品を少量収容する包装袋が知られている。少量の製品を収容した包装袋は、製品を市場に流通させて販売するに際して、製品の宣伝や広告を目的として消費者に無償若しくは安価にて配られる。
【０００３】
上記包装袋の一例として、例えば特許文献１に記載の技術が知られている。特許文献１には、薄膜状のプラスチックシートを重ね合わせ、プラスチックシートの周辺部にシールを施し、その内部に内容物を収納可能な収納部を備える包装袋が開示されている。この包装袋は、収納部の表面面積を包装袋の表面面積に対して１０％から５０％とし、残余の部分に所定の表示をする表示部を有する。
【先行技術文献】
【特許文献】
【０００４】
【特許文献１】特開平１０−２９１５４５号公報
【特許文献２】特開２００７−１６１１号公報
【特許文献３】特開平１１−３４８１５１号公報
【発明の概要】
【発明が解決しようとする課題】
【０００５】
化粧水、美容液、シャンプー、コンディショナーなどの化粧品やお菓子などの製品を少量収容する包装袋が知られている。包装袋には、一回で使用できる程度の製品（内容物）が充填される。ここで、図１は、従来の包装袋の一例の平面図を示す。また、図２は、従来技術において、内容物を包装袋へ充填する様子を示す。従来の包装袋１００ｘは、２枚のフィルム１ｘを重ね合わせることで形成され、収容部２ｘ、表示部３ｘ、シール部４ｘ、切欠部５ｘを有する。収容部２ｘは、内容物を収容する。表示部３ｘは、内容物や商品名などを表示する。シール部４ｘは、２枚のフィルム１ｘが接続される領域であり、収容部２ｘの周囲および表示部３ｘの周囲に設けられている。切欠部５ｘは、収容部２ｘの開封を容易にする。
【０００６】
包装袋１００ｘへの内容物の充填は、図２に示すように、包装袋１００ｘを構成するフィルム１ｘの送り方向（フィルムの長手方向）上に一対の表示部３ｘと収容部２ｘが配置された状態で行われる。フィルム１ｘは、同時に二つの包装袋を形成できるよう、包装袋包装袋１００ｘの二つ分の幅を有している。内容物を充填する充填ノズル６ｘは、２基並列に配置されており、同時に二つの収容部２ｘに対して充填が行われる。従来の包装袋１００ｘの製造方法では、効率よく包装袋１００ｘを製造することができる。また、製造された上記包装袋１００ｘは、表示部３ｘの表示面積も十分に確保されていることから、使用方法、内容表示を記載した台紙などを別途添付する必要もない。
【０００７】
ここで、内容物によっては、収容部２ｘの収容量を極めて小さく設計することが好ましい場合がある。例えば、化粧水や美容液などの化粧品の場合、収容部２ｘは、一回の使用量さえ収容できる容量を有していればよい。換言すると、収容部２ｘが大きすぎると、収容部２ｘ内には一回分の内容物が収容されているにもかかわらず、内容物が収容部２ｘの内壁に付着してしまい、一回分の内容物を取り出しきれないことがある。内容物に対して
収容部２ｘの容量が大きい場合、一回分の内容物を確実に取り出せるよう、内容物を多めに充填することが考えられるが、この場合内容物の無駄が生じる。一方で収容部２ｘの容量を小さく設計した場合でも、表示部３ｘの表示面積は確保することが要求される。表示部３ｘの表示面積が小さくなると、使用方法や内容表示を記載した台紙等を別途添付する必要が生じるからである。
【０００８】
上述した包装袋の製造方法において、収容部２ｘの容量を小さく設計する場合、収容部２ｘの幅（図１においてａで示す）を小さくすると表示部３ｘの表示面積も小さくなってしまう。従って、収容部２ｘの容量を小さく設計する場合、収容部２ｘの深さ（図１においてｂで示す）を小さくすることになる。しかしながら、この場合、収容部２ｘの深さが浅くなり、充填ノズル６ｘと収容部２ｘが接触することが想定され充填ノズルの位置調整が難しい。また、内容物の充填後、充填ノズル６ｘの挿入口をシールする際、内容物の液面レベルが上昇し、シール部４ｘに内容物が進入し、シールを確実に行えないことが懸念される。また、このような事態を防止する為の調整は、非常に困難である。
【０００９】
本発明は、上記問題に鑑みてなされたものであり、無駄なく内容物を取り出せ、かつ、内容物に関する表示する領域を十分に備える包装袋に関する技術を提供することを課題とする。
【課題を解決するための手段】
【００１０】
本発明では、上述した課題を解決するために、表示部と収容部とが並列に配置された包装袋を製造するに際し、包装袋を構成する帯状のフィルムの幅方向に表示部と収容部とが並列になるようにシールすることした。また、フィルムの送り方向の上流側から収容部に内容物を充填する充填部を挿入した状態で内容物を充填することとした。
【００１１】
詳細には、本発明は、二枚のフィルムを張り合わせることで形成され、内容物を収容する収容部と、該収容部と並列に配置され、前記内容物に関する情報を表示する表示部と、少なくとも前記収容部の周囲に設けられ、前記二枚のフィルムが接続されるシール部と、を有する包装袋の製造装置であって、帯状の前記二枚のフィルムを、互いに重ねた状態で供給するフィルム送り手段と、前記フィルム送り手段から供給される前記帯状の二枚のフィルムの幅方向に前記収容部と前記表示部とが並列に配置されるように、前記二枚のフィルムを接続して前記シール部を形成する第一シール手段であって、前記シール部のうち、前記幅方向に存在する側部を接続する第一シール手段と、前記第一シール手段によってシールされていないシール部として、前記フィルムの送り方向の下流側に存在する奥部と該フィルムの送り方向の上流側に存在する手前部を接続する第二シール手段と、前記第二シール手段が、前記奥部を接続後、かつ手前部の接続前、前記手前部から前記収容部に内容物を充填する充填手段と、前記第二シール手段によるシール部形成後、前記帯状の二枚のフィルムから包装袋を切り離す切断手段と、を備える。
【００１２】
本発明に係る包装袋の製造装置では、帯状の二枚のフィルムの幅方向に収容部と表示部とが並列に配置されるようにシール部が形成される。その結果、本発明によれば、収容部の収容量の調整を収容部の幅を調整することで実現することができ、特に収容部の容量を小さくしたい場合に優れた効果を発揮する。収容部の容量を小さくしたい場合、帯状のフィルムの長手方向（フィルムの送り方向）に一つの包装袋を構成する一対の収容部と表示部が配置されるようにシール部を形成する従来技術では、収容部の深さ（送り方向の収容部の長さ）を浅くせざるを得なかった。収容部の深さが浅くなると、内容物を充填するノズルと収容部との接触、ノズル位置の調整が困難、内容物が液体の場合における液面上昇によるシール部の不良が発生することが懸念された。これに対し、本発明に係る包装袋の製造装置では、収容部の深さを一定深さ確保した上で、収容部の幅を狭くすることで収容部の容量を小さくすることができる。従って、上記従来技術における問題が生じることも
ない。すなわち、本発明によれば、無駄なく内容物を取り出せ、かつ、内容物に関する表示する領域を十分に備える包装袋の製造装置を提供することができる。
【００１３】
フィルム送り手段は、帯状の二枚のフィルムを互いに重ねた状態で供給する。フィルムは、内容物に応じて選択可能であるが、内容物が漏洩しない素材とする必要がある。フィルムの表示部には、予め内容物に関する情報を印刷しておくことが好ましい。また、表示部に限らず包装袋に表示すべき情報は、表面裏面を問わず予め印刷しておくことが好ましい。本発明では、帯状のフィルムの幅方向に収容部と表示部が並列に配置されるように二枚のフィルムが接続される。従って、表示部等の表示は、並列に配置された一対の収容部と表示部をフィルムの送り方向に連続して予め印刷しておくことが好ましい。なお、表示部は、シール部として構成してもよい。表示部において二枚のフィルムを接続することで表示部の強度が向上する。
【００１４】
第一シール手段は、フィルム送り手段から供給される帯状の二枚のフィルムに対してシール部の一部を形成する。より詳細には、第一シール手段は、帯状の二枚のフィルムの幅方向に収容部と表示部が並列に配置されるように二枚のフィルムを、例えば溶着により接続する。シール部は、内容物が収容部から漏洩するのを防止する為、最終的に少なくとも収容部の周囲に渡って形成されるが、第一シール手段では、フィルムの幅方向に存在する側部が接続される。なお、表示部をシール部として構成する場合には、第一シール手段若しくは第二シール手段によって、表示部に対応する二枚のフィルムを溶着することができる。
【００１５】
第二シール手段も、第一シール手段と同じく、帯状の二枚のフィルムの幅方向に収容部と表示部が並列に配置されるように二枚のフィルムを、例えば溶着により接続する。但し、第二シール手段は、第一シール手段によってシールされていないシール部の他部として、例えばフィルムの送り方向の下流側に存在する奥部と該フィルムの送り方向の上流側に存在する手前部を接続する。なお、手前部は、充填手段が内容物を充填する際に用いられる。第一シール手段によるシール部形成後、充填手段を上記手前部から挿入してもよいが、シール部形成の際、この手前部も二枚のフィルムが接しており、挿入が困難になることが想定される。従って、第一シール手段によってシール部を形成する際、充填手段を予めこの手前部から収容内に挿入しておくことが好ましい。すなわち、二枚のフィルムの間に充填手段を配置しておくことが好ましい。
【００１６】
充填手段は、手前部から前記収容部に内容物を充填する。なお、上記のように、第一シール手段によるシール部形成後、充填手段を手前部から挿入すると、挿入が困難になることが想定されることから、充填手段は、第一シール手段によってシール部を形成する際、予め上記手前部から収容部内に挿入しておくことが好ましい。なお、内容物には、化粧水、美容液、シャンプー、コンディショナーなどの化粧品やお菓子などが例示される。
【００１７】
切断手段は、第二シール手段によるシール部形成後、帯状の二枚のフィルムから包装袋を切り離す。これにより、包装袋が完成する。
【００１８】
ここで、上述した本発明に係る包装袋の製造装置において、前記第一シール手段は、前記幅方向に存在する側部同士の間隔を調整して、前記収容部の収容量を調整するようにしてもよい。幅方向（帯状のフィルムの幅方向）に存在するシール部同士の間隔を狭くすると、収容部の容量が小さくなる。一方、幅方向に存在するシール部同士の間隔を広くすると、収容部の容量が大きくなる。本発明によれば、収容部の深さを一定深さ確保した上で、収容部の幅を狭くすることで収容部の容量を小さくすることができる。
【００１９】
また、上述した本発明に係る包装袋の製造装置において、前記第二シール手段は、前記
下流側に存在する包装袋のシール部の手前部と該包装袋の上流側に存在する包装袋のシール部の奥部とを一度に接続し、前記切断手段は、前記下流側に存在する包装袋のシール部の手前部と該包装袋の上流側に存在する包装袋のシール部の奥部との間を切断するようにしてもよい。これにより、効率よく包装袋を製造することができる。
【００２０】
また、上述した本発明に係る包装袋の製造装置において、前記包装袋は、前記幅方向の端部に前記包装袋の開封を容易にする切欠部を更に有し、前記シール部は、前記包装袋が開封される際、前記切欠部を基点として包装袋の一部をちぎる方向を誘導する誘導部を含み、前記包装袋の製造装置は、前記包装袋の切欠部を形成する切欠形成手段を更に備え、前記第一シール手段は、前記包装袋をちぎる際の抵抗が周囲のシール部よりも小さくなるように前記誘導部を形成するようにしてもよい。第一シール手段によってシール部を形成する際、ちぎる際の抵抗が周囲のシール部よりも小さくなる誘導部を形成することで、包装袋の開封が容易になる。
【００２１】
なお、本発明に係る包装袋の製造装置は、上記に加えて、生産や出荷の単位を表すロット番号を包装袋に対して刻印する刻印手段更に備える構成としてもよい。
【００２２】
ここで、本発明は、上述した包装袋の製造装置に対応する包装袋の製造方法としてもよい。具体的には、二枚のフィルムを張り合わせることで形成され、内容物を収容する収容部と、該収容部と並列に配置され、前記内容物に関する情報を表示する表示部と、少なくとも前記収容部の周囲に設けられ、前記二枚のフィルムが接続されるシール部と、を有する包装袋の製造方法であって、帯状の前記二枚のフィルムを、互いに重ねた状態で供給するフィルム送り工程と、前記フィルム送り工程で供給される前記帯状の二枚のフィルムの幅方向に前記収容部と前記表示部とが並列に配置されるように、前記二枚のフィルムを接続して前記シール部を形成する第一シール工程であって、前記シール部のうち、前記幅方向に存在する側部を接続する第一シール工程と、前記第一シール工程で接続されていないシール部として、前記フィルムの送り方向の下流側に存在する奥部と該フィルムの送り方向の上流側に存在する手前部を接続する第二シール工程と、前記第二シール工程で、前記奥部を接続後、かつ手前部の接続前、前記手前部から前記収容部に内容物を充填する充填工程と、前記第二シール工程におけるシール部形成後、前記帯状の二枚のフィルムから包装袋を切り離す切断工程と、を備える包装袋の製造方法である。
【００２３】
ここで、本発明は、上述した本発明に係る製造装置や製造方法によって製造される包装袋としてもよい。具体的には、本発明は、二枚のフィルムを張り合わせることで形成される包装袋であって、内容物を収容する収容部と、前記収容部と並列に配置され、前記内容物に関する情報を表示する表示部と、少なくとも前記収容部の周囲に設けられ、前記二枚のフィルムが接続されるシール部と、前記収容部の開放端部に設けられ、前記包装袋の開封を容易にする切欠部と、前記シール部に設けられ、前記包装袋が開封される際、前記切欠部を基点として包装袋の一部をちぎる方向を誘導する誘導部と、を備える。誘導部を備えることで、包装袋の開封が更に容易となる。
【発明の効果】
【００２４】
本発明によれば、無駄なく内容物を取り出せ、かつ、内容物に関する表示する領域を十分に備える包装袋に関する技術を提供することができる。
【図面の簡単な説明】
【００２５】
【図１】従来技術の包装袋の一例の平面図を示す。
【図２】従来技術において、内容物を包装袋へ充填する様子を示す。
【図３】実施形態に係る包装袋の平面図を示す。
【図４】実施形態に係る製造装置の概略構成を示す。
【図５】実施形態に係る製造装置の構成例を示す。
【図６】実施形態に係る製造装置による充填の様子を示す。
【図７】実施形態に係る包装袋の製造工程フローを示す。
【図８】変形例１に係る包装袋の平面図を示す。
【図９】変形例２に係る包装袋の平面図を示す。
【図１０】変形例３に係る包装袋の平面図を示す。
【発明を実施するための形態】
【００２６】
次に、本発明の実施形態について図面に基づいて説明する。
【００２７】
（包装袋）
まず、後述する実施形態に係る包装袋の製造装置（以下、単に製造装置という）２００で製造される包装袋１００について説明する。図３は、実施形態に係る包装袋１００の平面図を示す。包装袋１００は、２枚のフィルム１を重ね合わせることで形成され、収容部２、表示部３、シール部４、切欠部５を有する。実施形態に係る包装袋１００は、横長の長方形であり、幅方向（フィルム１の幅方向であり、紙面横方向）に夫々の四角形の収容部２と表示部３が並んで設けられている。
【００２８】
収容部２は、内容物を収容する。実施形態に係る収容部２は、縦長の長方形、換言すると、フィルム１の送り方向と直交する方向に長い長方形である。実施形態に係る包装袋１００では、収容部２も「○○エッセンス」、「サンプル」などの内容物に関する情報が印刷されている。また、収容部２の裏面も表示機能を有しており、「全成分表示」いった内容物に関する情報が印刷されている。
【００２９】
表示部３は、内容物や商品名など、内容物に関する情報を表示する。実施形態に係る表示部３は、横長の長方形である。実施形態では、表示部３の表面に、内容物に関する情報として「効能」、「ご使用方法」、「ご使用ステップ」が印刷されている。また、表示部３の裏面には、「○○エッセンス」、「試供見本」が印刷されている。表示部３には、バーコードなどの識別情報を表示してもよい。
【００３０】
シール部４は、２枚のフィルム１が接続される領域であり、収容部２の周囲および表示部３の周囲に設けられている。また、本実施形態に係る包装袋１００は、表示部３に対応するフィルム１も互いに溶着されていることから、表示部３もシール部４に含まれることになる。実施形態に係るシール部４は、収容部２及び表示部３の周囲に設けられるシール部４は、いずれも所定の幅を有する直線状である。所定の幅は、収容部２からの内容物の漏洩を防止できる長さとして適宜設計することができる。表示部３の周囲にも同様の幅のシール部４を設けることで表示部の強度をさらに向上させることができる。実施形態に係る包装袋１００では、収容部２からの内容物の漏洩をより確実に防止すべく、収容部２及び表示部３の周囲に設けられるシール部４がゴザ目（茣蓙目）形状である。なお、シール部４は、内容物の漏洩をより確実に防止できる形状であればよく、網の目状などでもよい。なお、シール部４は、説明の便宜上、送り方向下流側のシール部４を奥側シール部４０１、送り方向上流側のシール部４を手前側シール部４０２、幅方向の端部のうち収容部２側の端部を収容部側シール部４０３、収容部２と表示部３との境界のシール部を境界シール部４０４、幅方向の端部のうち表示部３側の端部を表示部側シール部４０３と称する。
【００３１】
切欠部５は、収容部２の開封を容易にする。実施形態に係る包装袋１００では、収容部側シール部４０３の上流側（上部側）を切り欠くことで形成されている。切欠部４は、単なる切込み線でもよく、また三角形であってもよい。
【００３２】
（製造装置）
次に上述した実施形態に係る包装袋１００を製造する製造装置について説明する。図４は、実施形態に係る製造装置２００の概略構成を示し、図５は、実施形態に係る製造装置２００の構成例を示す。図５の中央に位置する図は、正面図を示し、図５の右に位置する図は、断面図を示す。実施形態に係る製造装置２００は、フィルム送り装置１０、第一シール装置２０、充填装置３０、第二シール装置（ベタ）４０、第二シール装置（ゴザ目）５０、刻印装置６０、切欠形成装置７０、押さえ装置８０、切断装置９０、制御装置２１０を備える。
【００３３】
制御装置２１０は、フィルム送り装置１０、第一シール装置２０、充填装置３０、第二シール装置（ベタ）４０、刻印装置６０、第二シール装置（ゴザ目）５０、切欠形成装置７０、押さえ装置８０、切断装置９０の動作を制御する。制御装置２１０は、例えば、フィルム１を送る際の速度、第一シール装置２０等の回転速度等を予め設定されたプログラムに基づいて制御する。制御装置２１０は、ＣＰＵ（Central Processing Unit）、メモ
リ（揮発性のＲＡＭ（Random Access Memory）や、不揮発性のＲＯＭ（Read Only Memory）を含む。）等を含むコンピュータとコンピュータ上で実行されるプログラムによって実現することができる。
【００３４】
フィルム送り装置１０は、帯状の二枚のフィルム１を互いに重ねた状態で第一シール装置２０に向けて供給する。フィルム１は、例えば、表面層をポリエステルなどの合成樹脂とし、中間層をアルミなどの金属とし、最下層を低密度のポリエチレンなどの合成樹脂とする、積層シートにより構成することができる。但し、フィルムの素材は、内容物に応じて選択可能であり、例えば単層シートでもよく、内容物が漏洩しない素材であれば特に限定されない。なお、フィルム１には、予め内容物に関する情報が印刷されている。具体的には、並列に配置された一対の収容部２と表示部３がフィルム１の送り方向に連続して予め印刷されている。
【００３５】
第一シール装置２０は、円筒状の第一シール装置本体２１を二基備える。各第一シール装置本体２１は、回転軸としての第一シール装置本体軸２２、第一シール装置本体２１の外周に沿って設けられ、外側に向けて突出するリング状の第一シール装置押圧部２３、２４、２５を備える。第一シール装置本体軸２２は、二枚のフィルム１が各第一シール装置本体２１の間を通過するよう、所定の間隔を空けて互いに平行に配置されている。第一シール装置押圧部２３、２４、２５は、シール部４のうち、収容部側シール部４０３、境界シール部４０４、表示部側シール部４０５及び表示部３に対応するよう配置されている。収容部側シール部４０３、境界シール部４０４は、本発明における側部に相当する。なお、第一シール装置押圧部２３、２４、２５は、何れか一方の第一シール装置本体２１にのみ設けるようにしてもよい。第一シール装置押圧部２３、２４、２５の表面形状は、形成するシール部４に応じて適宜設計することができる。本態様では、収容部側シール部４０３、境界シール部４０４、表示部側シール部４０５に対してゴザ目形状を形成すべく、第一シール装置押圧部２３、２４、２５の表面には凹凸が設けられている。また、表示部３に対して平面状のシール部（ベタ）を形成するべく、第一シール装置押圧部２３、２４、２５の表面のうち、表示部３に対応する部分の表面が平面状に形成されている。第一シール装置本体２１の内部には、ヒータが内蔵されており（図示せず）所定の熱をフィルム１に与えながら押圧することで、第一シール装置押圧部２３、２４、２５と接した領域の二枚のフィルムが溶着される。その結果、シール部４のうち、幅方向に存在するゴザ目形状を有するシール部４（三本の直線状のシール部である、収容部側シール部４０３、境界シール部４０４、表示部側シール部４０５）がゴザ目状に形成される。また、表示部３が平面状に溶着される。ヒータは、第一シール装置本体２１の外部に設け、外部からフィルム１に熱を与えるようにしてもよい。
【００３６】
充填装置３０は、収容部２に内容物を充填する。本態様では、内容物として美容液が充
填される。但し、内容物は、美容液に限定されず、化粧水、シャンプー、コンディショナーなどの化粧品やお菓子などでもよい。充填装置３０は、細長状の充填ノズル３１を備える。充填ノズル３１は、内容物を収容するホッパとチューブ（いずれも図示せず）を介して接続されている。充填ノズル３１は、充填ノズル３１の長手方向が送り方向と平行、かつ収容部２の位置と一致するように配置されており、第一シール装置２０によってシール部４がまだ形成されていない上流側（手前側シール部４０２）から挿入されて内容物を充填する。なお、第一シール装置２０では、幅方向に存在するシール部４（収容部側シール部４０３、境界シール部４０４、表示部側シール部４０３）及び表示部３が溶着されることから、充填装置による内容物の充填は、次に説明する第二シール装置（ベタ）４０により奥側シール部４０１が形成された後に開始される。ここで、図６は、実施形態に係る製造装置による充填の様子を示す。図６に示すように、充填ノズル３１は、フィルム１同士の間に配置され、充填ノズル３１の先端が、第二シール装置（ベタ）４０と第一シール装置２０との間に配置されている。そして、第二シール装置（ベタ）４０により奥側シール部４０１が形成されると、充填が開始される。内容物が充填された包装袋１００は、送り方向に送られることから、奥側シール部４０１を形成した第二シール装置（ベタ）４０によって、奥側シール部４０１に続いて充填ノズル３１が挿入されていた手前側シール部４０２が形成される。
【００３７】
第二シール装置（ベタ）４０は、第一シール装置２０によってシールされていないシール部４の他部のうち、奥側シール部４０１及び手前側シール部４０２を平面状（ベタ）に溶着する。第二シール装置（ベタ）４０は、円筒状の第二シール装置本体（ベタ）４１を二基備える。各第二シール装置本体（ベタ）４１は、回転軸としての第二シール装置本体軸（ベタ）４２、表示部用第二シール装置押圧部（ベタ）４３、シール部用表示部用第二シール装置押圧部（ベタ）４４を備える。第二シール装置本体軸（ベタ）４２は、二枚のフィルム１が各第二シール装置本体（ベタ）４１の間を通過するよう、所定の間隔を空けて互いに平行に配置されている。第二シール装置押圧部（ベタ）４３は、横長の長方形の表示部３に応じてその形状が設計され、外側に向けて突出している。シール部用第二シール装置押圧部（ベタ）４４は、表示部用第二シール装置押圧部（ベタ）４３に隣接して設けられ、奥側シール部４０１と手前側シール部４０２を形成するよう、第二シール装置本体（ベタ）４１の外側に送り方向と直交する方向に直線状に設けられ、かつ、外側に向けて突出している。表示部用第二シール装置押圧部（ベタ）４３及びシール部用第二シール装置押圧部（ベタ）４４の表面形状は、形成するシール部４に応じて適宜設計することができるが、本態様では、平面形状を形成すべく、平面状に形成されている。
【００３８】
なお、表示部用第二シール装置押圧部（ベタ）４３及びシール部用第二シール装置押圧部（ベタ）４４は、何れか一方の第二シール装置本体（ベタ）４１にのみ設けるようにしてもよい。また、本態様では、第二シール装置（ベタ）４０は、第一シール装置２０と同じく、第二シール装置本体（ベタ）４１の内部のヒータによって所定の熱をフィルム１に与えながら押圧し、二枚のフィルムを溶着する。但し、ヒータは、第二シール装置本体（ベタ）４１の外部に設け、外部からフィルム１に熱を与え、二枚のフィルムを溶着してもよい。
【００３９】
第二シール装置（ゴザ目）５０は、第一シール装置２０によってシールされていないシール部４の他部のうち、奥側シール部４０１と手前側シール部４０２をゴザ目状に溶着する。奥側シール部４０１と手前側シール部４０２は、第二シール装置（ベタ）４０を通過することで平面状のシールが形成されている。第二シール装置（ゴザ目）５０を通過することで、奥側シール部４０１と手前側シール部４０２の強度がより向上する。第二シール装置（ゴザ目）５０は、円筒状の第二シール装置本体（ゴザ目）５１を二基備える。各第二シール装置本体（ゴザ目）５１は、回転軸としての第二シール装置本体軸（ゴザ目）５２、第二シール装置押圧部（ゴザ目）５３を備える。第二シール装置本体軸（ゴザ目）５
２は、二枚のフィルム１が各第二シール装置本体（ゴザ目）５１の間を通過するよう、所定の間隔を空けて互いに平行に配置されている。第二シール装置押圧部（ゴザ目）５３は、奥側シール部４０１と手前側シール部４０２を形成するよう、第二シール装置本体（ゴザ目）５１の外側に送り方向と直交する方向に直線状に設けられ、外側に向けて突出している。第二シール装置押圧部（ゴザ目）５３の表面形状は、形成するシール部４に応じて適宜設計することができるが、本態様では、ゴザ目形状を形成すべく、第二シール装置押圧部（ゴザ目）５３の表面は凹凸状に形成されている。第二シール装置押圧部（ゴザ目）５３は、奥側シール部４０１と先行する包装袋１００の手前側シール部４０２とを一度に溶着する。従って、第二シール装置押圧部（ゴザ目）５３の送り方向における幅は、シール部４の幅の二倍に設計されている。なお、本態様では、第二シール装置（ゴザ目）５０は、第一シール装置２０や第二シール装置（ベタ）４０と同じく、第二シール装置本体（ゴザ目）５１の内部のヒータによって所定の熱をフィルム１に与えながら押圧し、二枚のフィルムを溶着する。但し、ヒータは、第二シール装置本体（ゴザ目）５１の外部に設け、外部からフィルム１に熱を与え、二枚のフィルムを溶着してもよい。
【００４０】
刻印装置６０は、生産や出荷の単位を表すロット番号を包装袋に対して刻印する。刻印装置６０は、第二シール装置（ゴザ目）５０に設けられている。より詳細には、第二シール装置押圧部（ゴザ目）５３の一部として組み込まれている。従って、刻印装置６０が組み込まれている部分に関しては、第二シール装置（ゴザ目）５０を通過すると、ロット番号が刻印される。
【００４１】
切欠形成装置７０は、包装袋１００の切欠部５を形成する。具体的には、切欠形成装置７０は、収容部側シール部４０３の上流側（上部側）に切欠部５を形成する。切欠形成装置７０は、円筒状の切欠形成装置本体７１を備え、この切欠形成装置本体７１は、回転軸としての切欠形成装置本体軸７２、先端が鋭角な刃部７３二条を備える。また、切欠形成装置７０は、円筒状の切欠形成装置本体７１と対向する位置に、刃部７３を受け止める受け部７５を備える。なお、本態様では、刃部７３が二条設けられていることから、切欠形成装置本体７１が一回転することで、二つの包装袋の切欠部５を形成可能である。ここで、本態様では、円筒状の切欠形成装置本体７１を備える構成としたが、フィルム１の表面に対して直交する方向から刃部７３を往復運動させて、切欠部５を形成するようにしてもよい。
【００４２】
押さえ装置８０は、包装袋１００を押さえる。押さえ装置８０は、円筒状の押さえ装置本体８１と、受けローラ８６を備える。押さえ装置本体８１は、回転軸としての押さえ装置本体軸８２、押さえ装置本体８１の外周に沿って設けられ、外側に向けて突出するリング状の押さえ部８３、８４、８５を備える。押さえ装置本体軸８２は、二枚のフィルム１が各押さえ装置本体８１の間を通過するよう、受けローラ８６の受けローラ軸８７と所定の間隔を空けて互いに平行に配置されている。押さえ部８３、８４、８５は、ゴム素材からなり、収容部側シール部４０３、境界シール部４０４、表示部側シール部４０５に対応する位置に配置されている。受けローラ８６は、表面がゴム素材からなり、押さえ装置本体８１に合わせて回転可能である。押さえ装置８０は、帯状の二枚のフィルム１を正しい方向に送り出す。その結果、切断装置９０が正確に切断することが可能となる。
【００４３】
切断装置９０は、帯状の二枚のフィルム１から包装袋２を切り離す。本態様では、奥側シール部４０１と先行する包装袋１００の手前側シール部４０２とが一度に溶着されている。従って、切断装置９０は、奥側シール部４０１と先行する包装袋１００の手前側シール部４０２との間を直線状に切断する。実施形態に係る切断装置９０は、先端が鋭角な直線状の切断部９１と、切断部９１と対向する位置に、切断部９１を受け止める切断受け部９２を備える。切断部９１は、長手方向が送り方向と直交するように配置されており、切断部９１と切断受け部９２とで挟み込んでフィルム１から包装袋１００を切り離す。なお
、切断部９１は、回転可能な円盤体とし、円盤体を回転させながら送り方向と直交する方向に移動させ、円盤体の外周に設けられた刃によってフィルム１から包装袋１００を切り離すようにしてもよい。これにより、包装袋１００が完成する。完成した包装袋１００は、例えばベルトコンベアなどの搬送装置（図示せず）により、所定の位置まで搬送される。
【００４４】
（製造方法）
次に上述した製造装置２００を用いた包装袋１００の製造方法について説明する。ここで、図７は、実施形態に係る包装袋の製造工程フローを示す。図７に示す製造工程は、制御装置２１０がフィルム送り装置１０や第一シール装置２０等を制御することで実行される。
【００４５】
フィルム送り工程（ステップＳ０１）では、フィルム送り装置１０により、フィルムが供給される。フィルム送り装置１０は、帯状の二枚のフィルム１を互いに重ねた状態で第一シール装置２０に向けて供給する。次に、第一シール工程（ステップＳ０２）では、第一シール装置２０により、フィルム送り装置１０から供給される帯状の二枚のフィルム１に対してシール部４の一部として、収容部側シール部４０３、境界シール部４０４、表示部側シール部４０５がゴザ目形状に溶着される。第一シール工程が終了すると、充填・第二シール工程へ進む。
【００４６】
充填・第二シール工程では、第二シール装置（ベタ）４０により、第一シール装置２０によってシールされていないシール部４の他部のうち、奥側シール部４０１及び手前側シール部４０２が平面状（ベタ）に溶着され、かつ、充填装置３０により内容物が充填される。続いて、刻印・第二シール（ゴザ目）工程（ステップＳ０４）では、刻印装置６０により、ロット番号が刻印され、かつ、第二シール装置（ゴザ目）５０により、奥側シール部４０１及び手前側シール部４０２がゴザ目形状に溶着される。刻印・第二シール（ゴザ目）工程が終了すると、切り欠き形成工程へ進む。
【００４７】
切り欠き形成工程（ステップＳ０５）では、切欠形成装置７０により、収容部側シール部４０３の上流側（上部側）に切欠部５が形成される。続いて、押さえ工程（ステップＳ０６）では、押さえ装置８０により、包装袋１００が押さえられ、帯状の二枚のフィルム１が正しい方向に送り出される。そして、切断工程（ステップＳ０７）では、押さえ装置８０によって送り出される帯状の二枚のフィルム１から、切断装置９０により、包装袋２が切り離される。これにより、包装袋１００が完成する。完成した包装袋１００は、例えばベルトコンベアなどの搬送装置（図示せず）により、所定の位置まで搬送すればよい。
【００４８】
（効果）
以上、説明した実施形態に係る包装袋の製造装置及び製造方法によれば、帯状の二枚のフィルム１の幅方向に収容部２と表示部３とが並列に配置されるようにシール部４が形成される。その結果、収容部２の収容量の調整を収容部２の幅（図２においてＡで示す）を調整することで実現することができ、特に収容部２の容量を小さくしたい場合に優れた効果を発揮する。従来の技術（図１、２参照）では、収容部２ｘの容量を小さくしたい場合、収容部２ｘの深さ（図１においてｂで示す）を浅くせざるを得なかった。しかしながら、収容部２ｘの深さが浅くなると、内容物を充填する際、内容物を充填するノズルと収容部２ｘとの接触、ノズル位置の調整が困難、内容物が液体の場合における液面上昇によるシール部４ｘの不良が発生することが懸念された。これに対し、実施形態に係る包装袋の製造装置・製造方法によれば、収容部２の深さ（図３でＡで示す。）を一定深さ確保した上で、収容部２の幅（図３でＢで示す。）を狭くすることで収容部２の容量を小さくすることができる。従って、上記従来技術における問題が生じることもなく、また、無駄なく内容物を取り出せ、かつ、内容物に関する表示する領域を十分に備える包装袋を提供する
ことができる。
【００４９】
＜変形例＞
次に、変形例に係る包装袋１００ａ、１００ｂ、１００ｃ及びその製造装置、製造方法について説明する。図８は、変形例１に係る包装袋１００ａの平面図を示す。図９は、変形例２に係る包装袋１００ｂの平面図を示す。図１０は、変形例３に係る包装袋１００ｃの平面図を示す。いずれの変形例に係る包装袋１００ａ、１００ｂ、１００ｃも、基本的な構成は、上述した実施形態に係る包装袋１００と同じであるが、収容部２の形態が異なる。従って、以下の説明では、収容部２を中心に説明する。変形例に係る包装袋１００ａ、１００ｂ、１００ｃは、製造装置及び製造方法も上述した実施形態に係る製造装置及び製造方法によって製造可能である。そこで、以下の説明では、変形例に係る包装袋１００ａ、１００ｂ、１００ｃを製造するに際し、上述した実施形態に係る製造装置及び製造方法との相違点を中心に説明する。なお、同一の構成には、同一符号を付すものとする。また、説明の便宜上、所定の構成に対して符号の後にアルファベットを付すが、特に言及する場合を除き、同一符号が付された構成は、同等の機能及び作用効果を有する。
【００５０】
（変形例１）
変形例１に係る包装袋１００ａは、２枚のフィルム１を重ね合わせることで形成され、収容部２ａ、表示部３ａ、シール部４ａ、切欠部５ａを有する。変形例１に係る包装袋１００ａは、横長の長方形であり、幅方向に収容部２ａと表示部３ａが並んで設けられている。収容部２ａは、本体部２ａ１、肩部２ａ２、先端部２ａ３を有する。先端部２ａ３の幅は、本体部２ａ１の幅の半分程度である。肩部２ａ２の幅は、本体部２ａ１と先端部２ａ３とを連続して接続するよう、本体部２ａ１から先端部２ａ３に向けて徐々に狭くなっている。収容部２は、先端部２ａ３に向けて徐々に狭くなる構成を採用することで、内容物がより取り出し易くなっている。
【００５１】
シール部４ａは、収容部２ａの周囲に設けられ、収容部２ａの形状に合わせて設計されている。また、本態様では、収容部２ａの周囲に存在するシール部４ａを含め、全てがゴザ目形状となっている。ゴザ目形状を有するシール部４ａは、ゴザ形状を有しないシール部（例えば、ベタ加工）に比べて、収容部２ａからの内容物の漏洩をより確実に防止するとともに包装袋１００ａをちぎる際の抵抗が大きいといった特性を有する。このような特性を有するゴザ目形状を有するシール部４ａを収容部２ａの周囲に設けることで、切欠部５ａを基点として包装袋１００ａをちぎって開封する際、収容部２ａの先端部２ａ３を通過することで一端小さくなった抵抗は、先端部２ａ３と表示部３との間に存在するシール部４ａに達した時点で再度大きくなる。この抵抗の変化がユーザに伝達されると、ユーザが開封動作を止めることになり、切欠部５ａよりも上部が開封によって分離することが防止される。
【００５２】
ここで、変形例１に係る包装袋１００ａの製造方法について言及すると、変形例１に係る包装袋１００ａは、上述した実施形態に係る製造装置２００によって製造可能である。第一シール装置２０の第一シール装置押圧部２３、２４、２５の形状を変更すればよい。すなわち、実施形態に係る製造装置２００では、第一シール装置押圧部２３、２４、２５は、同じ幅のリングによって形成されていたが、本態様では、収容部２の幅に応じて第一シール装置押圧部２３、２４、２５の幅を設計すればよい。具体的には、変形例１に係る第一シール装置押圧部２３、２４、２５は、本体部２ａ１の幅方向に存在するシール部４ａを形成する部分の幅は小さくし、先端部２ａ３の幅方向に存在するシール部４ａを形成する部分の幅は大きくすればよい。なお、製造方法は、上述した実施形態と同様であるため説明は割愛する。
【００５３】
（変形例２）
変形例２に係る包装袋１００ｂは、２枚のフィルム１を重ね合わせることで形成され、収容部２ｂ、表示部３ｂ、シール部４ｂ、切欠部５ｂを有する。変形例２に係る包装袋１００ｂは、横長の長方形であり、幅方向に収容部２ｂと表示部３ｂが並んで設けられている。収容部２ｂは、本体部２ｂ１、肩部２ｂ２、先端部２ｂ３を有する。変形例２に係る収容部２ｂも、変形例１に係る収容部２ａと同じく、収容部２ｂの幅が、本体部２ｂ１、肩部２ｂ２先端部２ｂ３の順に狭くなっている。但し、変形例２に係る収容部２ｂは、収容部２ｂの幅方向の一方の辺が直線状であり、他方の辺の形状が変更されることで、収容部の形状に変化が与えられている。このような構成とすることで、内容物がより取り出し易くなっている。
【００５４】
シール部４ｂは、収容部２ｂの周囲に設けられ、収容部２ｂの形状に合わせて設計されている。また、シール部４ｂは、ゴザ目形状となっている。その結果、変形例１に係る包装袋１００ａと同じく、切欠部５ｂを基点として包装袋１００ｂをちぎって開封する際、切欠部５ｂよりも上部が開封によって分離することが防止される。
【００５５】
なお、変形例２に係る包装袋１００ｂの製造方法について言及すると、変形例２に係る包装袋１００ｂも、上述した実施形態に係る製造装置２００によって製造可能である。第一シール装置２０の第一シール装置押圧部２３、２４、２５の形状を、収容部２ｂに応じて設計すればよい。なお、製造方法は、上述した実施形態と同様であるため説明を割愛する。
【００５６】
（変形例３）
変形例３に係る包装袋１００ｃは、２枚のフィルム１を重ね合わせることで形成され、収容部２ｃ、表示部３ｃ、シール部４ｃ、切欠部５ｃを有する。変形例３に係る包装袋１００ｃは、横長の長方形であり、幅方向に収容部２ｃと表示部３ｃが並んで設けられている。また、収容部２ｃは、変形例２の収容部２ｂ同形状であり、本体部２ｃ１、肩部２ｃ２、先端部２ｃ３を有する。その結果、内容物がより取り出し易くなっている。
【００５７】
シール部４ｃは、収容部２ｂの周囲に設けられ、収容部２ｃの形状に合わせて設計されている。また、シール部４ｃには、全体としてゴザ目加工が施されているが、先端部２ｃ３の側方であって、表示部３ｃ側の側方に、表示部３ｃに向かって徐々にその幅が狭くなるベタ領域４ｃ１（本発明の誘導部に相当する）が設けられている。このベタ領域４ｃ１は、周囲のゴザ目が施されたシール部４ｃと比較すると、包装袋１００ｃをちぎって開封する際の抵抗が小さい。従って、切欠部５ｃを基点として包装袋１００ｃをちぎって開封する際、ちぎる方向が幅方向に規制され、切欠部５ｃよりも上部が開封によって分離することがより確実に防止される。
【００５８】
なお、変形例３に係る包装袋１００ｃの製造方法について言及すると、変形例３に係る包装袋１００ｃも、上述した実施形態に係る製造装置２００によって製造可能である。第一シール装置２０の第一シール装置押圧部２３、２４、２５の形状及び第二シール装置（ベタ）４０の第二シール装置押圧部（ベタ）４３の形状を、収容部２ｃに応じて設計すればよい。なお、製造方法は、上述した実施形態と同様であるため説明は割愛する。
【００５９】
以上説明した変形例に係る包装袋１００ａ、１００ｂ、１００ｃによれば、収容部２ａ、２ｂ、２ｃの形状が工夫されることで、内容物の取り出しが更に容易になっている。また、収容部２ａ、２ｂ、２ｃを囲むシール部４ａ、４ｂ、４ｃにゴザ目形状が採用されることで、切欠部５ａ、５ｂ、５ｃを基点として包装袋１００ａ、１００ｂ、１００ｃをちぎって開封する際、切欠部５ａ、５ｂ、５ｃよりも上部が開封によって分離することが防止される。更に、変形例３に係る包装袋３ｃでは、ちぎる方向が幅方向に規制され、切欠部５ｃよりも上部が開封によって分離することがより確実に防止される。また、変形例に
係る包装袋３ａ、３ｂ、３ｃは、包装袋を製造する際、収容部２ａ、２ｂ、２ｃの幅方向に存在するシール部４の形状を調整することで実現される。換言すると、供給される帯状の二枚のフィルムの幅方向に収容部と表示部とが並列に配置されるように、二枚のフィルムを接続してシール部を形成することで実現される。従って、実施形態で説明した製造装置２００や製造方法は、変形例に係る包装袋の製造に特に適している。
【００６０】
以上本発明の実施形態について説明したが、本発明の包装袋、包装袋の製造装置及び製造方法に関する技術はこれらに限らず、可能な限りこれらの組合せを含むことができる。
【符号の説明】
【００６１】
１、１ａ、１ｂ、１ｃ・・・フィルム
２、２ａ、２ｂ、２ｃ・・・収容部
３、３ａ、３ｂ、３ｃ・・・表示部
４、４ａ、４ｂ、４ｃ・・・シール部
５、５ａ、５ｂ、５ｃ・・・切欠部
１０・・・フィルム送り装置
２０・・・第一シール装置
３０・・・充填装置
４０・・・第二シール装置（ベタ）
５０・・・刻印装置
６０・・・第二シール装置（ゴザ目）
７０・・・切欠形成装置
８０・・・押さえ装置
９０・・・切断装置
【図１】
2011025948.tif 000003
【図２】
2011025948.tif 000004
【図３】
2011025948.tif 000005
【図４】
2011025948.tif 000006
【図５】
2011025948.tif 000007
【図６】
2011025948.tif 000008
【図７】
2011025948.tif 000009
【図８】
2011025948.tif 000010
【図９】
2011025948.tif 000011
【図１０】
2011025948.tif 000012